【事件の表示】
　上記当事者間の国際登録第１１７８４４２号商標の商標登録無効審判事件について、次のとおり審決する。
【結論】
　国際登録第１１７８４４２号の指定商品中、第９類「Ｐｈｙｓｉｃａｌ　ａｎｄ　ｃｈｅｍｉｃａｌ　ｌａｂｏｒａｔｏｒｙ　ａｐｐａｒａｔｕｓ　ａｎｄ　ｉｎｓｔｒｕｍｅｎｔｓ；ｉｎｃｕｂａｔｏｒｓ　ｆｏｒ　ｂａｃｔｅｒｉａ　ｃｕｌｔｕｒｅ；ｔｅｓｔ　ｔｕｂｅｓ；ａｐｐａｒａｔｕｓ　ｆｏｒ　ｆｅｒｍｅｎｔａｔｉｏｎ　［ｌａｂｏｒａｔｏｒｙ　ａｐｐａｒａｔｕｓ］；ｆｕｒｎａｃｅｓ　ｆｏｒ　ｌａｂｏｒａｔｏｒｙ　ｕｓｅ；ｃｒｕｃｉｂｌｅｓ　［ｌａｂｏｒａｔｏｒｙ］；ｌａｂｏｒａｔｏｒｙ　ｃｅｎｔｒｉｆｕｇｅｓ；ａｕｔｏｍａｔｉｃ　ｉｏｎ−ｅｘｃｈａｎｇｅ　ｃｈｒｏｍａｔｏｇｒａｐｈｙ　ａｐｐａｒａｔｕｓ　ｆｏｒ　ｌａｂｏｒａｔｏｒｙ　ｕｓｅ；ｓｔｉｌｌｓ　ｆｏｒ　ｌａｂｏｒａｔｏｒｙ　ｅｘｐｅｒｉｍｅｎｔｓ；ｆｕｒｎｉｔｕｒｅ　ｅｓｐｅｃｉａｌｌｙ　ｍａｄｅ　ｆｏｒ　ｌａｂｏｒａｔｏｒｉｅｓ；ｃｈｒｏｍａｔｏｇｒａｐｈｙ　ａｐｐａｒａｔｕｓ　ｆｏｒ　ｌａｂｏｒａｔｏｒｙ　ｕｓｅ；ｇｌａｓｓｗａｒｅ　ｆｏｒ　ｌａｂｏｒａｔｏｒｙ　ｕｓｅ；ａｐｐａｒａｔｕｓ　ａｎｄ　ｉｎｓｔｒｕｍｅｎｔｓ　ｆｏｒ　ｐｈｙｓｉｃｓ；ｍａｇｎｅｔｉｃ　ａｇｉｔａｔｏｒｓ　ｆｏｒ　ｌａｂｏｒａｔｏｒｙ　ｕｓｅ；ｐｉｐｅｔｔｅｓ；ｃｏｎｓｔａｎｔ　ｈｕｍｉｄｉｔｙ　ｉｎｃｕｂａｔｏｒｓ　ｆｏｒ　ｌａｂｏｒａｔｏｒｙ　ｕｓｅ；ｃｏｎｓｔａｎｔ−ｔｅｍｐｅｒａｔｕｒｅ　ｉｎｃｕｂａｔｏｒｓ　ｆｏｒ　ｌａｂｏｒａｔｏｒｙ　ｕｓｅ；ｃｈｅｍｉｓｔｒｙ　ａｐｐａｒａｔｕｓ　ａｎｄ　ｉｎｓｔｒｕｍｅｎｔｓ；ｆｒｅｅｚｅ　ｄｒｙｅｒ　ｆｏｒ　ｌａｂｏｒａｔｏｒｙ　ｕｓｅ；ｃｏｎｃｅｎｔｒａｔｏｒ　ｆｏｒ　ｌａｂｏｒａｔｏｒｙ　ｕｓｅ；ｐｌａｓｔｉｃｗａｒｅ　ｆｏｒ　ｌａｂｏｒａｔｏｒｙ　ｕｓｅ；ｐｌａｓｔｉｃ　ｂｅａｋｅｒ　ｆｏｒ　ｌａｂｏｒａｔｏｒｙ　ｕｓｅ；ｌｉｑｕｉｄ　ｈａｎｄｌｅｒ　ｆｏｒ　ｌａｂｏｒａｔｏｒｙ　ｕｓｅ；ｅｌｅｃｔｒｏｐｈｏｒｅｓｉｓ　ａｐｐａｒａｔｕｓ　ｆｏｒ　ｌａｂｏｒａｔｏｒｙ；ｃｌｅａｎ　ｂｅｎｃｈ　ｆｏｒ　ｌａｂｏｒａｔｏｒｙ．」についての登録を無効とする。
　その余の指定商品についての審判請求は成り立たない。
　審判費用は、被請求人の負担とする。
【理由】
第１　本件商標
　本件国際登録第１１７８４４２号商標（以下「本件商標」という。）は、別掲１のとおりの構成からなり、２０１３年（平成２５年）７月３０日に国際商標登録出願、別掲２のとおりの第９類に属する国際登録に基づく商標権に係る商標登録原簿に記載の商品を指定商品として、平成２６年７月２５日に設定登録されたものである。
第２　請求人の主張
　請求人は、「商標法第４６条第１項の規定により、本件商標の登録を無効とする、審判費用は被請求人の負担とする」との審決を求め、その理由を要旨以下のように述べ、証拠方法として甲第１号証ないし甲第３号証を提出している。
　１　出願日について
　本件商標の国際登録日（優先権発生日）は、２０１３年（平成２５年）７月３０日である。
　他方、請求人商標の優先権発生日は、２０１３年（平成２５年）５月３日である。
　したがって、最先の商標登録出願人は請求人である。
　２　本件商標と請求人商標との類否について
　（１）称呼について
　本件商標は、欧文字「ＬＡＢＯＧＥＮＥ」を含み、同文字から「ラボジェネ」の称呼が生じる。
　他方、請求人商標は、欧文字「ＬＡＢＯＧＥＮＥ」を横書き一列に書してなり、同文字から「ラボジェネ」の称呼が生じる。
　したがって、本件商標と請求人商標とは称呼を同一にする類似の商標である。
　（２）外観について
　本件商標は、欧文字「ＬＡＢＯＧＥＮＥ］を横書き一列に書し、同欧文字の上部に大きさの異なる六角形の図形を３つ配したものである。
　本件商標の図形部分は何ら特徴を有しないありふれたものであり、看取者の注意を引くものではない。
　他方、欧文字「ＬＡＢＯＧＥＮＥ」は本件商標の右端から左端に至っており、本件商標中で一番目立つ形態で書されている。
　したがって、本件商標の要部は欧文字「ＬＡＢＯＧＥＮＥ」である。
　他方、請求人商標は、欧文字「ＬＡＢＯＧＥＮＥ」を横書き一列に書したものである。
　以上のとおり、本件商標は図形部分も含むが、看取者に強い印象を与えるものではないので、本件商標と請求人商標とは欧文字「ＬＡＢＯＧＥＮＥ」を共通にする外観上類似の商標である。
　３　本件商標に係る指定商品と請求人商標に係る指定商品の類否について
　本件商標は「ｌａｂｏｒａｔｏｒｙ　ｃｅｎｔｒｉｆｕｇｅｓ（実験室用遠心分離機）」をはじめとする類似群コード１０Ａ０１の範躊に属する商品、「ｐｈｏｔｏｇｒａｍｍｅｔｒｉｃ　ｍａｃｈｉｎｅｓ（写真測量機）」をはじめとする類似群コード１０Ｃ０１の範躊に属する商品、「ｄｉａｇｎｏｓｔｉｃａｐｐａｒａｔｕｓ，ｎｏｔ　ｆｏｒ　ｍｅｄｉｃａｌ　ｐｕｒｐｏｓｅｓ（機械の誤作動・故障等の検知・分析装置）」類似群コード１０Ｃ０１、１１Ａ０４、１１Ｃ０２を指定している。
　他方、請求人商標は「ｌａｂｏｒａｔｏｒｙ　ｃｅｎｔｒｉｆｕｇｅｓ（実験室用遠心分離機）」をはじめとする類似群コード１０Ａ０１の範躊に属する商品を指定している。
　なお、請求人商標は現在日本国特許庁において審査に継続中のため、審査過程において請求人商標に係る指定商品は変更される可能性はあるが（１０Ｃ０１、１１Ａ０４、１１Ｃ０２の類似群コードも含まれうる）、「ｌａｂｏｒａｔｏｒｙ　ｃｅｎｔｒｉｆｕｇｅｓ（実験室用遠心分離機）」は明確な商品表示であるので、請求人商標に係る指定商品の類似群コードに１０Ａ０１が含まれることは間違いない。
　したがって、本件商標に係る指定商品中には請求人商標に係る指定商品と同一又は類似の商品が含まれる。
　４　以上より、本件商標と請求人商標とは、外観が類似し、称呼を共通とする類似商標であり、また指定商品は同一又は類似である。
　５　むすび
　上述のように、本件商標は、請求人商標と類似であって、その商標登録に係る指定商品と同一又は類似の商品について使用するものである。
　また、最先の商標登録出願人は請求人である。
　よって、本件商標は商標法第８条第１項に該当するにもかかわらず登録されたものであるから、その登録は無効にされるべきである。
第３　被請求人の答弁
　被請求人は、請求人の主張に対して何ら答弁していない。
第４　当審の判断
　１　商標法第８条第１項該当性について
　（１）引用商標
　国際登録第１１９９０８１号商標（以下「引用商標」という。）は、「ＬＡＢＯＧＥＮＥ」の欧文字を横書きしてなり、２０１３年５月３日にＤｅｎｍａｒｋにおいてした商標登録出願に基づいてパリ条約第４条による優先権を主張し、２０１３年（平成２５年）年１０月２日に国際商標登録出願、別掲３のとおりの第７類、第９類、第１１類及び第４２類に属する国際登録に基づく商標権に係る商標登録原簿に記載の商品及び役務を指定商品及び指定役務として、平成２７年６月１２日に設定登録され、現に有効に存続しているものである。
　（２）本件商標と引用商標の登録出願の日等について
　本件商標に係る国際商標登録出願は、２０１３年（平成２５年）年７月３日にされたものであり、一方、引用商標に係る国際商標登録出願は、第一国出願（Ｄｅｎｍａｒｋ，２０１３年（平成２５年）５月３日）に基づきパリ条約第４条による優先権を主張して、２０１３（平成２５）年１０月２日に国際商標登録出願されたものであること前述のとおり（上記第１及び第４　１（１））であるから、引用商標は、本件商標の先出願に係るものといえる。
　（３）本件商標と引用商標との類否について
　本件商標は、別掲１のとおり、「ＬＡＢＯＧＥＮＥ」の欧文字を横書きしてなり、当該欧文字の中央上部に大きさの異なる六角形の図形を３つ配したものであるところ、文字部分と図形部分は視覚上分離して看取されるものであり、文字部分のみをもって取引に資される場合も決して少なくないといえるものである。
　そうすると、本件商標は、「ＬＡＢＯＧＥＮＥ」の文字部分から、構成文字に相応した「ラボジェネ」の称呼が生じ、また、当該文字は一般の辞書には掲載されておらず、他に特定の意味を認識させるとすべき実情も見いだせないから、特定の観念は生じないものといえる。
　他方、引用商標は、「ＬＡＢＯＧＥＮＥ」の欧文字を横書きしてなるものであり、その構成文字に相応して「ラボジェネ」の称呼を生じ、特定の観念を生じないものである。
　そこで、本件商標と引用商標の類否について検討すると、両者は、共に観念を生じないものであるから、観念において比較することができず、観念が両者の類否に影響を及ぼすものではないものの、両者は、「ＬＡＢＯＧＥＮＥ」の文字を共通にし、「ラボジェネ」の称呼を共通にするものであるから、類似する商標といえる。
　そして、本件商標の指定商品中、第９類「Ｐｈｙｓｉｃａｌ　ａｎｄ　ｃｈｅｍｉｃａｌ　ｌａｂｏｒａｔｏｒｙ　ａｐｐａｒａｔｕｓ　ａｎｄ　ｉｎｓｔｒｕｍｅｎｔｓ；ｉｎｃｕｂａｔｏｒｓ　ｆｏｒ　ｂａｃｔｅｒｉａ　ｃｕｌｔｕｒｅ；ｔｅｓｔ　ｔｕｂｅｓ；ａｐｐａｒａｔｕｓ　ｆｏｒ　ｆｅｒｍｅｎｔａｔｉｏｎ　［ｌａｂｏｒａｔｏｒｙ　ａｐｐａｒａｔｕｓ］；ｆｕｒｎａｃｅｓ　ｆｏｒ　ｌａｂｏｒａｔｏｒｙ　ｕｓｅ；ｃｒｕｃｉｂｌｅｓ　［ｌａｂｏｒａｔｏｒｙ］；ｌａｂｏｒａｔｏｒｙ　ｃｅｎｔｒｉｆｕｇｅｓ；ａｕｔｏｍａｔｉｃ　ｉｏｎ−ｅｘｃｈａｎｇｅ　ｃｈｒｏｍａｔｏｇｒａｐｈｙ　ａｐｐａｒａｔｕｓ　ｆｏｒ　ｌａｂｏｒａｔｏｒｙ　ｕｓｅ；ｓｔｉｌｌｓ　ｆｏｒ　ｌａｂｏｒａｔｏｒｙ　ｅｘｐｅｒｉｍｅｎｔｓ；ｆｕｒｎｉｔｕｒｅ　ｅｓｐｅｃｉａｌｌｙ　ｍａｄｅ　ｆｏｒ　ｌａｂｏｒａｔｏｒｉｅｓ；ｃｈｒｏｍａｔｏｇｒａｐｈｙ　ａｐｐａｒａｔｕｓ　ｆｏｒ　ｌａｂｏｒａｔｏｒｙ　ｕｓｅ；ｇｌａｓｓｗａｒｅ　ｆｏｒ　ｌａｂｏｒａｔｏｒｙ　ｕｓｅ；ａｐｐａｒａｔｕｓ　ａｎｄ　ｉｎｓｔｒｕｍｅｎｔｓ　ｆｏｒ　ｐｈｙｓｉｃｓ；ｍａｇｎｅｔｉｃ　ａｇｉｔａｔｏｒｓ　ｆｏｒ　ｌａｂｏｒａｔｏｒｙ　ｕｓｅ；ｐｉｐｅｔｔｅｓ；ｃｏｎｓｔａｎｔ　ｈｕｍｉｄｉｔｙ　ｉｎｃｕｂａｔｏｒｓ　ｆｏｒ　ｌａｂｏｒａｔｏｒｙ　ｕｓｅ；ｃｏｎｓｔａｎｔ−ｔｅｍｐｅｒａｔｕｒｅ　ｉｎｃｕｂａｔｏｒｓ　ｆｏｒ　ｌａｂｏｒａｔｏｒｙ　ｕｓｅ；ｃｈｅｍｉｓｔｒｙ　ａｐｐａｒａｔｕｓ　ａｎｄ　ｉｎｓｔｒｕｍｅｎｔｓ；ｆｒｅｅｚｅ　ｄｒｙｅｒ　ｆｏｒ　ｌａｂｏｒａｔｏｒｙ　ｕｓｅ；ｃｏｎｃｅｎｔｒａｔｏｒ　ｆｏｒ　ｌａｂｏｒａｔｏｒｙ　ｕｓｅ；ｐｌａｓｔｉｃｗａｒｅ　ｆｏｒ　ｌａｂｏｒａｔｏｒｙ　ｕｓｅ；ｐｌａｓｔｉｃ　ｂｅａｋｅｒ　ｆｏｒ　ｌａｂｏｒａｔｏｒｙ　ｕｓｅ；ｌｉｑｕｉｄ　ｈａｎｄｌｅｒ　ｆｏｒ　ｌａｂｏｒａｔｏｒｙ　ｕｓｅ；ｅｌｅｃｔｒｏｐｈｏｒｅｓｉｓ　ａｐｐａｒａｔｕｓ　ｆｏｒ　ｌａｂｏｒａｔｏｒｙ；ｃｌｅａｎ　ｂｅｎｃｈ　ｆｏｒ　ｌａｂｏｒａｔｏｒｙ．」は、引用商標の指定商品中、第９類「Ａｐｐａｒａｔｕｓ，ｉｎｓｔｒｕｍｅｎｔｓ　ａｎｄ　ｃａｂｉｎｅｔｓ　ｆｏｒ　ｕｓｅ　ｉｎ　ｌａｂｏｒａｔｏｒｉｅｓ，ｎａｍｅｌｙ　ｖａｃｕｕｍ　ａｐｐａｒａｔｕｓ　ｆｏｒ　ｕｓｅ　ｉｎ　ｌａｂｏｒａｔｏｒｉｅｓ，ｉｎｃｕｂａｔｏｒｓ　ｆｏｒ　ｕｓｅ　ｉｎ　ｌａｂｏｒａｔｏｒｉｅｓ　ａｎｄ　ｌａｂｏｒａｔｏｒｙ　ｍｉｘｅｒｓ；ｓｔｅｒｉｌｅ　ｂｅｎｃｈｅｓ　ａｎｄ　ｓｔｅｒｉｌｅ　ｃａｂｉｎｅｔｓ　ｆｏｒ　ｕｓｅ　ｉｎ　ｌａｂｏｒａｔｏｒｉｅｓ；ｓａｆｅｔｙ　ｃａｂｉｎｅｔｓ　ｆｏｒ　ｕｓｅ　ｉｎ　ｌａｂｏｒａｔｏｒｉｅｓ；ｍｉｃｒｏｂｉｏｌｏｇｉｃａｌ　ｓａｆｅｔｙ　ｃａｂｉｎｅｔｓ　ｆｏｒ　ｕｓｅ　ｉｎ　ｌａｂｏｒａｔｏｒｉｅｓ；ｒｅｆｒｉｇｅｒａｔｉｎｇ　ａｎｄ　ｆｒｅｅｚｉｎｇ　ｌａｂｏｒａｔｏｒｙ　ａｐｐａｒａｔｕｓ　ａｎｄ　ｉｎｓｔｒｕｍｅｎｔｓ；ｌａｂｏｒａｔｏｒｙ　ｃｅｎｔｒｉｆｕｇｅｓ；ｉｎｃｕｂａｔｏｒｓ　ｆｏｒ　ｃｅｌｌ　ａｎｄ　ｂａｃｔｅｒｉａ　ｃｕｌｔｕｒｅ　ｆｏｒ　ｕｓｅ　ｉｎ　ｌａｂｏｒａｔｏｒｉｅｓ．」と同一又は類似の商品である。
　（４）以上によれば、本件商標は、他人の先出願に係る商標登録出願、すなわち、引用商標と商標において類似し、かつ、本件商標の指定商品中、上記（３）に記載の商品は、引用商標の指定商品と同一又は類似するものであるから、商標法第８条第１項の規定に違反して登録されたものである。
　２　むすび
　以上のとおり、本件商標は、その指定商品中の結論掲記の商品について、商標法第８条第１項の規定に違反してされたものであるから、その登録は同法第４６条第１項の規定により、無効とすべきものである。
　しかしながら、本件商標に係る指定商品中、上記商品を除くその余の商品は、引用商標の指定商品と非類似の商品と認められるものであるから、これらの商品についての登録は、無効とすることができない。
　よって、結論のとおり審決する。